(57)【要約】【課題】電子機器の使用状態によって、利用出来ないメニュー項目がある場合に、使用者自身が、用途に応じて、当該利用出来ないメニュー項目の表示状態を変更することが出来る電子機器を提供する。【解決手段】操作部１２を操作して、ＢＤプレーヤ１００において現状利用出来ないメニュー項目の表示状態を切り替えるための設定を行い、当該設定後、操作部１２における所定の操作が実行された場合、記憶部１３に記憶されているメニュー項目の中から、当該操作に関連するメニュー項目が抽出される。その後、利用出来ないメニュー項目の表示に関する設定内容が、「グレーアウト表示」である場合は、該当するメニュー項目を、「グレーアウト表示」に切り替えて、映像表示部２２に表示し、利用出来ないメニュー項目の表示に関する設定内容が、「非表示」である場合は、該当するメニュー項目を、「非表示」に切り替えて、映像表示部２２に表示しない。【選択図】図１
2010282245.tif 000002
【特許請求の範囲】
【請求項１】
操作部にて所定の操作が行われた場合に、機器が有するメニュー項目の内、当該操作に関連する前記メニュー項目を、前記機器が有する表示部および／または前記機器に接続された表示部に表示する電子機器において、
前記表示部に表示される前記メニュー項目の中に、電子機器の使用状態によって利用出来ないメニュー項目がある場合に、当該利用出来ないメニュー項目の表示状態を切り替える表示切替手段を備え、
前記表示切替手段は、前記利用出来ないメニュー項目の表示状態を、前記表示部に表示させない非表示状態と、前記表示部に表示させるが、利用出来るメニュー項目とは異なる表示状態である利用不能表示状態とに切り替えることを特徴とする電子機器。
【発明の詳細な説明】
【技術分野】
【０００１】
本発明は、機器が有する表示部および／または機器に接続された表示部にメニュー項目を表示する電子機器に関するものである。
【背景技術】
【０００２】
一般的な電子機器において、使用者は、当該電子機器に設けられた押しボタンや、当該電子機器に付属のリモート・コントロール装置等を用いて、所望する操作を行う。
【０００３】
この場合、使用者が行った操作に基づいて、当該操作に関連する項目（以下、「メニュー項目」と記載）が、電子機器が有する表示部や、当該電子機器に接続された表示部に表示される場合がある。
【０００４】
電子機器の仕様によって異なるが、高性能や多機能な電子機器ほど、表示部に表示されるメニュー項目の数は多くなる。しかしながら、電子機器の使用状態によっては、表示部に表示されるメニュー項目の内、使用者が利用出来ない項目がある。
【０００５】
例えば、ＨＤＭＩ（High  Definition Multimedia Interface）機能に対応した電子機器に、当該ＨＤＭＩ機能を用いて他の機器を接続した場合は、当該電子機器において、ＨＤＭＩ機能に関連するメニュー項目を利用出来るが、当該ＨＤＭＩ機能を用いずに他の機器を接続した場合は、当該電子機器において、ＨＤＭＩ機能に関連するメニュー項目を利用出来ない。
【０００６】
このように、電子機器の使用状態によって利用出来ないメニュー項目がある場合、使用者に対して、当該メニュー項目が利用出来ない事を認知させる必要がある。以下においては、利用出来るメニュー項目を「有効項目」と記載し、利用出来ないメニュー項目を「無効項目」と記載する。
【０００７】
後掲の特許文献１〜４には、表示部に表示されるメニュー項目の中に、現状利用出来ないメニュー項目がある場合、当該メニュー項目を無効にする機器やシステム等が記載されている。
【０００８】
詳しくは、特許文献１や特許文献３では、無効項目がある場合、当該無効項目を表示部に表示させない。また、特許文献２〜４では、無効項目がある場合、当該無効項目の表示状態を、有効項目の表示状態よりも薄くする。以下においては、無効項目の表示状態を、有効項目の表示状態よりも薄くすることを「グレーアウト表示」と記載する。
【先行技術文献】
【特許文献】
【０００９】
【特許文献１】特開平３−２５６１１６号公報
【特許文献２】特開平１０−３１２２５８号公報
【特許文献３】特開２００６−１０７０８１号公報
【特許文献４】特開２００８−０１５６１３号公報
【発明の概要】
【発明が解決しようとする課題】
【００１０】
以上のように、無効項目を非表示またはグレーアウト表示にする場合、いずれの表示処理も機器やシステム側の判断に基づいて実行される。このため、無効項目が非表示にされている場合、表示部に表示される全メニュー項目を把握していない使用者は、表示部に表示されているメニュー項目内に、無効項目が存在することを容易に認識出来ない。
【００１１】
また、無効項目がグレーアウト表示されている場合、使用者は、無効項目を含む全てのメニュー項目の中から、所望するメニュー項目を探さなければならないため、大変な時間と手間を要することとなる。加えて、所望するメニュー項目が無効項目となっている場合は、探し出すために費やした時間と手間が無駄になる。
【００１２】
本発明は、上述した問題点に鑑み、電子機器の使用状態によって、利用出来ないメニュー項目がある場合に、使用者自身が、用途に応じて、当該利用出来ないメニュー項目の表示状態を変更することが出来る電子機器を提供することを目的とする。
【課題を解決するための手段】
【００１３】
本発明に係る電子機器は、操作部にて所定の操作が行われた場合に、機器が有するメニュー項目の内、当該操作に関連するメニュー項目を、機器が有する表示部および／または機器に接続された表示部に表示する電子機器であって、表示部に表示されるメニュー項目の中に、電子機器の使用状態によって利用出来ないメニュー項目がある場合に、当該利用出来ないメニュー項目の表示状態を切り替える表示切替手段を備えている。そして、表示切替手段は、利用出来ないメニュー項目の表示状態を、表示部に表示させない非表示状態と、表示部に表示させるが、利用出来るメニュー項目とは異なる表示状態である利用不能表示状態とに切り替える。
【００１４】
このように構成したことで、使用者は、用途に応じて、表示部に表示させるメニュー項目の数を変更することが出来る。これにより、例えば、多くのメニュー項目の中から所望するメニュー項目を探し出す場合、使用者は、利用出来ないメニュー項目の表示状態を非表示状態にして、表示部に表示されるメニュー項目の数を減らすことで、当該所望するメニュー項目を探し出すために費やす時間と手間を減らすことが出来る。また、現状利用出来ていない機能をメニュー項目から確認したい場合、使用者は、利用出来ないメニュー項目の表示状態をグレーアウト表示などの利用不能表示状態にして、表示部に表示することで、当該現状利用出来ていない機能をメニュー項目から容易に確認することが出来る。
【発明の効果】
【００１５】
本発明によれば、電子機器の使用状態によって、利用出来ないメニュー項目がある場合に、使用者自身が、用途に応じて、当該利用出来ないメニュー項目の表示状態を変更することが出来るため、所望するメニュー項目を探し出すために費やす時間と手間を減らしたり、現状利用出来ていない機能をメニュー項目から容易に確認したりすることが出来る。
【図面の簡単な説明】
【００１６】
【図１】ＢＤプレーヤと液晶テレビを示したブロック図である。
【図２】利用出来ないメニュー項目の表示状態を切り替える場合の動作を示したフローチャートである。
【図３】記憶部に記憶されているメニュー項目を示した図である。
【図４】利用出来ないメニュー項目の表示状態を切り替える場合に、表示部に表示されるＯＳＤ（On Screen Display）を示した図である。
【図５】利用出来ないメニュー項目の表示状態を切り替える場合に、表示部に表示されるＯＳＤを示した図である。
【図６】利用出来ないメニュー項目の表示状態を示した図である。
【図７】利用出来ないメニュー項目の表示状態を示した図である。
【図８】利用出来ないメニュー項目の表示状態を示した図である。
【発明を実施するための形態】
【００１７】
以下、本発明の実施形態につき、図面を参照しながら説明する。尚、以下の図では、同一部分または対応する部分に同一符号を付してある。
【００１８】
図１は、本発明の実施形態であるＢＤ（Blu-ray（登録商標） Disc）プレーヤ１００および当該ＢＤプレーヤ１００に接続された液晶テレビ２００の構成を示したブロック図である。
【００１９】
図１のＢＤプレーヤ１００において、制御部１１は、例えば、ＣＰＵ（Central Processing Unit）から構成されており、ＢＤプレーヤ１００の各部を制御する。
【００２０】
操作部１２は、例えば、ＢＤプレーヤ１００のフロントパネルに設けられたボタン部（図示省略）や、ＢＤプレーヤ１００を遠隔操作するためのリモート・コントロール装置（図示省略）および、当該リモート・コントロール装置から送信される赤外線信号を受信するためにＢＤプレーヤ１００のフロントパネルに設けられた受光部（図示省略）から構成されている。
【００２１】
記憶部１３は、例えば、ＥＥＰＲＯＭ（Electronically  Erasable and Programmable Read Only Memory）から構成されており、ＢＤプレーヤ１００において利用可能なメニュー項目が、例えば、図３に示すテーブル３０の状態で記憶されている。ここで、制御部１１およびテーブル３０は、本発明における表示切替手段の一実施形態である。
【００２２】
光学メディア再生部１４は、例えば、ＢＤ／ＤＶＤ（Digital Versatile Disc）／ＣＤ（Compact Disc）等の光学メディアの再生が可能な光学ドライブから構成されている。
【００２３】
ＨＤＭＩインターフェイス１５は、ケーブルＡを用いてＨＤＭＩ接続を行うためのインターフェイスである。尚、ＨＤＭＩインターフェイスは、以下において、「ＨＤＭＩ・Ｉ／Ｆ」と記載する。
【００２４】
カードインターフェイス１６は、例えば、ＳＤ（Secure  Digital）メモリカード（図示省略）や、xD-Picture Card（図示省略）等のフラッシュメモリカードを接続するためのインターフェイスである。尚、カードインターフェイスは、以下において、「カードＩ／Ｆ」と記載する。
【００２５】
映像信号出力部１７は、例えば、ケーブルＢの一方の端部に設けられたコンポーネント端子（図示省略）が接続される端子部であり、光学メディア再生部１４等で再生された映像信号を出力する。
【００２６】
音声信号出力部１８は、例えば、ケーブルＣの一方の端部に設けられたＲＣＡ（Radio Corporation of America（登録商標））端子の内の音声端子（図示省略）が接続される端子部であり、光学メディア再生部１４等で再生された音声信号を出力する。
【００２７】
液晶テレビ２００において、制御部２１は、例えば、ＣＰＵから構成されており、液晶テレビ２００の各部を制御する。
【００２８】
映像表示部２２は、ＬＣＤ（Liquid Crystal  Display）から構成されており、後述するＨＤＭＩ・Ｉ／Ｆ２４や、映像信号入力部２５に入力された映像信号に基づく映像を表示する。
【００２９】
音声出力部２３は、例えば、スピーカから構成されており、後述するＨＤＭＩ・Ｉ／Ｆ２４や、音声信号入力部２６に入力された音声信号に基づく音声を出力する。
【００３０】
ＨＤＭＩ・Ｉ／Ｆ２４は、ＨＤＭＩ・Ｉ／Ｆ１５と同様、ケーブルＡを用いてＨＤＭＩ接続を行うためのインターフェイスである。
【００３１】
映像信号入力部２５は、例えば、ケーブルＢの他方の端部に設けられたコンポーネント端子（図示省略）が接続される端子部であり、映像信号出力部１７から出力された映像信号を入力する。
【００３２】
音声信号入力部２６は、例えば、ケーブルＣの他方の端部に設けられたＲＣＡ端子の内の音声端子（図示省略）が接続される端子部であり、音声信号出力部１８から出力された音声信号を入力する。
【００３３】
以上のような構成からなるＢＤプレーヤ１００においては、利用出来ないメニュー項目の表示状態を切り替える場合、図２のフローチャートで示される所定の動作が実行される。
【００３４】
詳しくは、図２のステップＳ１では、ＢＤプレーヤ１００の使用者により、操作部１２が操作され、利用出来ないメニュー項目の表示状態を切り替えるための設定が開始される。
【００３５】
この場合、制御部１１は、図３に示すテーブル３０内のメニュー項目「表示設定」から、当該メニュー項目の下位のメニュー項目である「無効項目の表示」、および、更にその下位のメニュー項目である「グレーアウト表示」と「非表示」を抽出し、図４や図５に示すＯＳＤ（On Screen Display）を作成して、当該ＯＳＤ５０を、液晶テレビ２００の映像表示部２２に表示させる。
【００３６】
ステップＳ２では、使用者が、ＯＳＤ５０に表示されているメニュー項目「グレーアウト表示」と「非表示」の内、いずれか一方のメニュー項目を選択する。ここで、図４は、使用者が、メニュー項目「グレーアウト表示」を選択した場合のＯＳＤ５０の状態を示した図である。図５は、使用者が、メニュー項目「非表示」を選択した場合のＯＳＤ５０の状態を示した図である。使用者により選択されたメニュー項目は、例えば、記憶部１３内の所定の記憶領域に記憶される。
【００３７】
ステップＳ３では、使用者によって、操作部１２における所定の操作が実行されたことに基づいて、制御部１１が、図３に示すテーブル３０内のメニュー項目から、当該操作に関連するメニュー項目を抽出する。
【００３８】
操作部１２において、例えば、「映像設定」に関する操作が行われた場合、制御部１１は、図３に示すテーブル３０内のメニュー項目「映像設定」から、当該メニュー項目の下位のメニュー項目である「ＴＶアスペクト」、「ＨＤＭＩ解像度」、「背景色」を抽出する。
【００３９】
また、操作部１２において、例えば、「ＳＤカード」に関する操作が行われた場合、制御部１１は、図３に示すテーブル３０内のメニュー項目「ＳＤカード」から、当該メニュー項目の下位のメニュー項目である「準備」、「再生」等を抽出する。
【００４０】
ステップＳ４では、ステップＳ２で選択されたメニュー項目、すなわち、「無効項目の表示」の設定内容が、制御部１１によって検証され、当該検証の結果、メニュー項目「無効項目の表示」の設定内容が、「グレーアウト表示」である場合（ステップＳ４：ＹＥＳ）は、ステップＳ５ａへ進み、メニュー項目「無効項目の表示」の設定内容が、「非表示」である場合（ステップＳ４：ＮＯ）は、ステップＳ５ｂへ進む。
【００４１】
ステップＳ５ａでは、ステップＳ３にて抽出されたメニュー項目がＯＳＤによって映像表示部２２に表示される。但し、ステップＳ３において制御部１１により抽出されたメニュー項目の内、利用出来ないメニュー項目は、「グレーアウト表示」に切り替えられて表示される。
【００４２】
ステップＳ５ａにおいて、例えば、ＢＤプレーヤ１００のＨＤＭＩ・Ｉ／Ｆ１５と、液晶テレビ２００のＨＤＭＩ・Ｉ／Ｆ２４が、ケーブルＡによってＨＤＭＩ接続されていない場合、図６のＯＳＤ５１に示すように、メニュー項目「映像設定」の下位のメニュー項目「ＨＤＭＩ解像度」は、「グレーアウト表示」で表示される。
【００４３】
また、ステップＳ５ａにおいて、例えば、カードＩ／Ｆ１６に、ＳＤカード（図示省略）が接続されていない場合、図８のＯＳＤ５３に示すように、メニュー項目「ＳＤカード」の下位のメニュー項目「準備」、「再生」等は、「グレーアウト表示」で表示される。
【００４４】
ステップＳ５ｂでは、ステップＳ３にて抽出されたメニュー項目がＯＳＤによって映像表示部２２に表示される。但し、ステップＳ３において制御部１１により抽出されたメニュー項目の内、利用出来ないメニュー項目は、「非表示」に切り替えられるため、当該ＯＳＤには表示されない。
【００４５】
ステップＳ５ｂにおいて、例えば、ＢＤプレーヤ１００のＨＤＭＩ・Ｉ／Ｆ１５と、液晶テレビ２００のＨＤＭＩ・Ｉ／Ｆ２４が、ケーブルＡによってＨＤＭＩ接続されていない場合、図７のＯＳＤ５２に示すように、メニュー項目「映像設定」の下位のメニュー項目「ＨＤＭＩ解像度」は、当該ＯＳＤ５２に表示されない。
【００４６】
また、ステップＳ５ｂにおいて、例えば、カードＩ／Ｆ１６に、ＳＤカード（図示省略）が接続されていない場合、メニュー項目「ＳＤカード」を含む下位のメニュー項目「準備」、「再生」等は、表示されないため、メニュー項目「ＳＤカード」に関するＯＳＤは、作成されない。つまり、映像表示部２２に表示されない。
【００４７】
ステップＳ６では、使用者により、操作部２２が操作され、映像表示部２２に表示されたメニュー項目に基づく操作が実行される。
【００４８】
ステップＳ７では、ＢＤプレーヤ１００の電源（図示省略）がＯＦＦとなった場合（ステップＳ７：ＹＥＳ）は、当該フローチャートを終了し、電源がＯＮのままである場合（ステップＳ７：ＮＯ）は、ステップＳ８へ進む。
【００４９】
ステップＳ８では、ステップＳ２において使用者により選択されたメニュー項目、すなわち、「無効項目の表示」の設定内容が変更される場合（ステップＳ８：ＹＥＳ）は、ステップＳ１の直前に戻り、変更されない場合（ステップＳ８：ＮＯ）は、ステップＳ３の直前に戻る。
【００５０】
このように、上述した実施形態においては、ＢＤプレーヤ１００において、利用出来ないメニュー項目の表示状態を切り替える場合、まず、ＢＤプレーヤ１００の使用者により、操作部１２が操作され、利用出来ないメニュー項目の表示状態を切り替えるための設定、つまり、「無効項目の表示」の設定を行う。そして、当該設定後、使用者によって、操作部１２における所定の操作が実行された場合、制御部１１は、図３に示すテーブル３０内のメニュー項目から、当該操作に関連するメニュー項目を抽出した後、「無効項目の表示」の設定内容が、「グレーアウト表示」である場合は、抽出したメニュー項目の内、利用出来ないメニュー項目を、「グレーアウト表示」に切り替えて、映像表示部２２に表示されるＯＳＤ内に表示する。一方、「無効項目の表示」の設定内容が、「非表示」である場合は、抽出したメニュー項目の内、利用出来ないメニュー項目を、「非表示」に切り替えて、映像表示部２２に表示されるＯＳＤ内に表示しない。
【００５１】
このため、使用者は、例えば、多くのメニュー項目の中から所望するメニュー項目を探し出す場合、利用出来ないメニュー項目の表示状態を「非表示」に切り替えて、映像表示部２２のＯＳＤ内に表示されるメニュー項目の数を減らすことで、当該所望するメニュー項目を探し出すために費やす時間と手間を減らすことが出来る。また、使用者は、例えば、現状利用出来ていない機能をメニュー項目から確認したい場合、利用出来ないメニュー項目の表示状態を「グレーアウト表示」に切り替えて表示部に表示することで、現状利用出来ていない機能をメニュー項目から容易に確認することが出来る。
【００５２】
本発明では、以上述べた以外にも種々の実施形態を採用することができる。例えば、上記実施形態では、電子機器をＢＤプレーヤ１００としたが、これに限られず、ＢＤレコーダやＤＶＤレコーダ、プロジェクタなど、その他の電子機器であってもよい。
【００５３】
また、上記実施形態においては、ＢＤプレーヤ１００にて作成したＯＳＤを、液晶テレビ２００の映像表示部２２に表示したが、これに限られず、ＢＤプレーヤ１００自体に有機ＥＬ（Electroluminescence）等から構成される表示部を設けて、当該表示部に表示しても良い。
【００５４】
さらに、上記実施形態においては、利用出来ないメニュー項目の表示状態の一例として「グレーアウト表示」を挙げたが、これに限られず、利用出来ないメニュー項目の表示色を「赤色」等としてもよい。
【符号の説明】
【００５５】
１１，２１  制御部
１２  操作部
１３  記憶部
１５，２４  ＨＤＭＩインターフェイス
１６  カードインターフェイス
１７  映像信号出力部
２２  映像表示部
２５  映像信号入力部
１００  ＢＤプレーヤ
２００  液晶テレビ
【図１】
2010282245.tif 000003
【図２】
2010282245.tif 000004
【図３】
2010282245.tif 000005
【図４】
2010282245.tif 000006
【図５】
2010282245.tif 000007
【図６】
2010282245.tif 000008
【図７】
2010282245.tif 000009
【図８】
2010282245.tif 000010